(57)【特許請求の範囲】
【請求項１】
透光性のカバー本体が、適宜高さおよび幅を有する横断面略半円形状の光拡散部と、この光拡散部の両側縁に延設している対向状の先端部からなり、光拡散部は、内面が平滑で、外面に多数の凸部が連なる横断面態様に形成してあり、両先端部には取付部を当該先端部の延長方向に適宜間隔をおいて複数形成し、各取付部は、内側面が前記光拡散部の内面と同様に平滑な先端部における外側面に突部を取付部材の被係合部と係合可能に有していると共に、この突部の先側基部を、任意の取付部から先部分をカットすることでカバー本体の高さ調整をし得るように切断引きガイド部として形成してあることを特徴とする照明カバー。
【請求項２】
先端部内側面に溝部を外側面の先側基部と相対させて設けることで、任意の取付部から先部分をカットし易くしたことを特徴とする請求項１記載の照明カバー。
【請求項３】
カバー本体内面の取付溝部に取付基板を着脱可能に備え、この取付基板は多数の網目を有する網状にして、照明体を取付け可能な網面部を形成し、網面部は、縦長の網状にし、交叉部をアール状に形成していることを特徴とする請求項１または２記載の照明カバー。
【発明の詳細な説明】
【０００１】
【発明の属する技術分野】
本発明は宣伝、広告、案内等の掲示装置に付設される電飾、その他の各種照明用のカバーに関する。
【０００２】
【従来の技術】
この種の照明は、その殆どが掲示装置の存在感を際立たせる目的のために使用されており、装置の外周の一辺乃至周囲に配設されて、点灯或いは点滅するようになっている。
ところで、照明の多くは電球であるため、剥き出しの裸のままでは何等かの外圧を受けて破損する恐れが多分にあり、破損事故が発生するのを避けられない。そこで、このような不具合が発生しないように照明を無色透明或いは有色透明のカバーで覆ったものが出回っていて、外圧による電球の破損事故は解消されている。
他方、照明そのものについて、電球、発光ダイオード、その他の公知の様々な照明を求める動きが出ており、この場合、現状では、カバーは照明に応じた特定の形態のものを整えることで対応している。このように、従来のカバーでは、様々な大きさ、形を用意しなければならず、経済的に不都合が多いという構造状の不備がある。
【０００３】
【発明が解決しようとする課題】
解決しようとする課題は、第１には、照明が際立ち、照明の種類や取付位置関係に対応して高さ調整可能であり、取り付け固定が容易で施工が簡単である照明カバーを、第２には、さらに、任意の取付部から先部分をカットし易くて高さ調整可能である照明カバーを、第３には、さらに、結露水による照明の漏電事故の心配がない照明カバーを提供することにある。
【０００４】
【課題を解決するための手段】
本発明は前記した課題を達成するため、透光性のカバー本体が、適宜高さおよび幅を有する横断面略半円形状の光拡散部と、この光拡散部の両側縁に延設している対向状の先端部からなり、光拡散部は、内面が平滑で、外面に多数の凸部が連なる横断面態様に形成してあり、両先端部には取付部を当該先端部の延長方向に適宜間隔をおいて複数形成し、各取付部は、内側面が前記光拡散部の内面と同様に平滑な先端部における外側面に突部を取付部材の被係合部と係合可能に有していると共に、この突部の先側基部を、任意の取付部から先部分をカットすることでカバー本体の高さ調整をし得るように切断引きガイド部として形成してあることを特徴とする。
また本発明では、先端部内側面に溝部を外側面の先側基部と相対させて設けることで、任意の取付部から先部分をカットし易くしたことを特徴とする。
また本発明では、カバー本体内面の取付溝部に取付基板を着脱可能に備え、この取付基板は多数の網目を有する網状にして、照明体を取付け可能な網面部を形成し、網面部は、縦長の網状にし、交叉部をアール状に形成していることを特徴とする。
【０００５】
本発明におけるカバー本体の材質は、透光性のものであれば良く、アクリル樹脂、塩化ビニール樹脂、その他の公知のものになる。また、カバー本体は、適宜色彩の有色フィルムを貼着して着色しているものであっても良いし、塗布して着色してあるものであっても良い。このカバー本体は適宜長さのもので、適宜高さおよび幅の光拡散部の形態は、横断面形状が半円形状、これらに類するその他の形状のいずれであっても良く、外面の面形状は、長手方向に沿う凸状、その他の光を拡散して働く形状のものであれば良い。取付部の突部は、先端部の外側面に設けられ、取付部材の被係合部と係合可能に形成してある態様のものになる。カバー本体の取付溝部は、内面の一方に形成しても良いし、内面の双方に対向状に形成しても良い。この取付溝部に着脱可能に備えられる取付基板は、透光性のものに限定されないが、光が各網目を通過するのみならず、網目を構成している網面部の構成部材自体をも通過するように、透明或いは有色透明の材質のもので形成するのが望ましい。また、取付基板における網面部は、結露水が上位から下位へ流れ落ち易い縦長の網目構造にしてあるのが望ましい。この取付基板は、網面部を有しない基材であっても良い。本発明の照明カバーでカバーされる照明体は、発光ダイオード、電球、蛍光灯、その他の各種の発光体が挙げられる。
【０００６】
【発明の実施の形態】
図１には本発明の照明カバーにおける実施の１形態を例示しており、カバー本体１は、透光性部材からなる横断面略Ｕ字状の長尺のもので、適宜高さＨおよび幅Ｗを有する横断面略半円形状の光拡散部２と、この光拡散部２の両側縁に延設されている対向状の先端部３とで形成している。
光拡散部２は、内面２ａが平滑で、外面２ｂに多数の丸状凸部２ｃが曲面に沿い連なる横断面態様に形成してあり、この横断面形状が長手方向に連続した面形状にしてある。
左右の先端部３は、取付部４を先端部３の延長方向に適宜間隔をおいて複数（図面上では３個）形成してある。各取付部４は、先端部外側面３ａにおける当該部位に突部４ａを後で説明する取付部材９の被係合部９ａと係合可能に有してい
る。この取付部４は被係合部９ａに対して、被係合部９ａ端から同部の長手方向にスライドさせて抜き差し可能に挿入することで、突部４ａが被係合部９ａと係合して、長手方向と交叉する方向には抜けずに、長手方向には抜けて着脱可能にしている。
そして、この長手方向に沿う各突部４ａの先側基部４ｂを切断引きガイド部５として形成してある。また、先端部３における平滑な内側面３ｂには溝部６を外側面３ａの先側基部４ｂと相対させて設けて、任意の取付部４から先部分を当該切断引きガイド部５に沿いカッターを走らせることでカットし易くしてある。
【０００７】
図２には本発明の照明カバーにおける実施の他の１形態を例示しており、構成は前記した図１の態様のものと基本的に同一であるため、共通している構成の説明は符号を準用して省略し、相違する構成について説明する。
光拡散部２は横断面略卵形状に形成してあり、意匠的工夫を計っている。
【０００８】
図３および図４には本発明の照明カバーにおける実施の他の１形態を例示しており、構成は前記した図１の態様のものと基本的に同一であるため、共通している構成の説明は符号を準用して省略し、相違する構成について説明する。
左右の先端部内側面３ｂには取付溝部７を対向させて設けてあり、この左右の取付溝部７間に取付基板８を着脱可能に備えてある。この取付基板８は、多数の網目を有する網状にして、照明体１０が取付け可能な網面部８ａを形成している。網面部８ａは、縦長の網状にして結露水が上位から下位へ伝い流れ易くしてあると共に、交叉部８ｂをアール状にすることで結露水等を水切りし易く形成している。
【０００９】
図５および図６には前記した図１の態様の照明カバーを用いた掲示装置を例示しており、掲示装置１１はフレーム１２における左右の嵌合部１３に表示体１４を嵌合していると共に、取付基部１５には電球１６を固定している。そして、フレーム１２の左右の被係合部９ａには、カバー本体１の取付部４を長手方向にスライドさせて着脱可能に係合して、電球１６をカバーしてある。カバー本体１は、先側の２つの取付部４をカットして高さ調整してある。
【００１０】
図７〜図９には前記した図３の態様の照明カバーを用いた他の掲示装置を例示しており、掲示装置１１は上面部１１ａおよび側面部１１ｂに２本の取付部材９を接着或いはビス止めして左右平行状に固定していて、この左右の取付部材９の被係合部９ａにカバー本体１の取付部４を長手方向にスライドさせて着脱可能に係合してある。
そして、カバー本体１内の取付基板８における網面部８ａには、赤色、緑色、青色の各発光ダイオード等からなる照明体１０が付け替え可能に取り付けられている。この照明体１０の取付けは、ネジ止め、両面テープ或いは接着剤を用いた固定方法等により行なわれる。
かかる態様のものでは、結露水が網面部８ａを伝い上位から下位へ流れることにより、照明体１０への移動が阻止されて、結露水による照明体１０の電気的ショートが発生しないように防止されている。
また、取付基板８は、前記した図９の（ａ）の態様以外にも、図９の（ｂ）に例示するように、網面部８ａを有しないソケット付き基板状の態様のものであっても良い。
【００１１】
図１０の（ａ）、（ｂ）、（ｃ）には前記した図１の態様の照明カバーを用いた他の掲示装置を例示しており、（ａ）に示す掲示装置１１では、隣り合う丸パイプ１７に亘りそれぞれカバー本体１の取付部４を接着して、取付基材１８に付け替え可能に取り付けられた赤色、緑色、青色の各発光ダイオード等からなる照明体１０をカバーしている。また、丸パイプ１７と取付部４間には、線状補助部材１９を接着固定して両者の接着状態を強化している。カバー本体１は、先側の１つの取付部４をカットして高さ調整してある。（ｂ）に示す掲示装置１１では、正三角形の各隅に立脚して隣り合う丸パイプ１７に亘りそれぞれカバー本体１の取付部４を接着して、取付基材１８に付け替え可能に取り付けられた赤色、緑色、青色の各発光ダイオード等からなる照明体１０をカバーしている。また、丸パイプ１７と取付部４間には、線状補助部材１９を接着固定して両者の接着状態を強化している。（ｃ）に示す掲示装置１１では、正四角形の各隅に立脚して隣り合う丸パイプ１７に亘りそれぞれカバー本体１の取付部４を接着して、取付基材１８に付け替え可能に取り付けられた赤色、緑色、青色の各発光ダイオードおよび電球等からなる照明体１０をカバーしている。また、丸パイプ１７と取付部４間には、線状補助部材１９を接着固定して両者の接着状態を強化している。カバー本体１は、先側の２つの取付部４をカットして高さ調整してある。
【００１２】
図１１には前記した図３の態様の照明カバーを用いた他の掲示装置を例示しており、構成は前記した図７の掲示装置のものと基本的に同一であるため、共通している構成の説明は符号を準用して省略し、相違する構成について説明する。
掲示装置１１は上面部１１ａにおけるカバー本体１の光拡散部２頂部に矢印状の表示部２０を添設している。
【００１３】
図１２には前記した図３の態様の照明カバーを用いた他の掲示装置を例示しており、構成は前記した図７の掲示装置のものと基本的に同一であるため、共通している構成の説明は符号を準用して省略し、相違する構成について説明する。
掲示装置１１は上面部１１ａにおけるカバー本体１内の照明体１０を、取付基板８の網面部８ａに対して連続波状に取り付けていて、波状の照明が得られるようにしてある。
【００１４】
【発明の効果】
Ａ．請求項１により、光拡散部が照明の光を拡散・散乱することで照明が際立ち、そして、複数の取付部のいずれかを照明の種類や取付位置に応じて選ぶことができて、所望の照明状態にカバーすることができると共に、照明を外圧による破損から保護することができる。
また、取り付け固定が容易で施工が簡単であると共に、各取付部における突部の先側基部が切断引きガイド部として働いて、カッターを誘導するため、カバー本体の高さ調整作業が容易であり、迅速に行なうことができる。
Ｂ．請求項２により、さらに、先端部内側面に溝部を外側面の先側基部と相対させて設けてあるので、任意の取付部から先部分を当該切断引きガイド部に沿いカッターを走らせることでカットし易くて高さ調整できる。
Ｃ．請求項３により、さらに、網面部が結露水を上位から下位へ導いて、照明への移動を阻止するため、結露水によって照明がショートして消えてしまう恐れがない。結露水が上位から下位へ伝い流れ易くて水切りし易い。
【図面の簡単な説明】
【図１】  本発明の照明カバーにおける実施の１形態を例示している斜視図。
【図２】  本発明の照明カバーにおける実施の他の１形態を例示している断面図。
【図３】  本発明の照明カバーにおける実施の他の１形態を例示している断面図。
【図４】  取付基板の正面図。
【図５】  本発明による図１の態様の照明カバーを用いた掲示装置を例示している部分斜視図。
【図６】  同断面図。
【図７】  本発明による図３の態様の照明カバーを用いた他の掲示装置を例示している部分正面図。
【図８】  一部切欠して示す同側面図。
【図９】  （ａ）、（ｂ）は部分拡大断面図。
【図１０】  （ａ）、（ｂ）、（ｃ）は本発明による図１の態様の照明カバーを用いた他の掲示装置を例示している各断面図。
【図１１】  本発明による図１の態様の照明カバーを用いた他の掲示装置を例示している部分正面図。
【図１２】  本発明による図３の態様の照明カバーを用いた他の掲示装置を例示している部分正面図。
【符号の説明】
１  カバー本体
２  光拡散部
２ａ  内面
２ｂ  外面
２ｃ  凸部
３  先端部
３ａ  外側面
３ｂ  内側面
４  取付部
４ａ  突部
４ｂ  先側基部
５  切断引きガイド部
６  溝部
７  取付溝部
８  取付基板
８ａ  網面部
８ｂ  交叉部
９  取付部材
９ａ  被係合部
１０  照明体
１１  掲示装置
１１ａ  上面部
１１ｂ  側面部
１２  フレーム
１３  嵌合部
１４  表示体
１５  取付基部
１６  電球
１７  丸パイプ
１８  取付基材
１９  線状補助部材
２０  表示部
【図１】
0003872664.tif 000002
【図２】
0003872664.tif 000003
【図３】
0003872664.tif 000004
【図４】
0003872664.tif 000005
【図５】
0003872664.tif 000006
【図６】
0003872664.tif 000007
【図７】
0003872664.tif 000008
【図８】
0003872664.tif 000009
【図９】
0003872664.tif 000010
【図１０】
0003872664.tif 000011
【図１１】
0003872664.tif 000012
【図１２】
0003872664.tif 000013